(57)【要約】      （修正有）【課題】手動にて十分な量のペーパーを、次に使用するための取り代としてカバープレートから垂れ落とすロールペーパーホルダーを提供する。【解決手段】ロールペーパーホルダー１は、ロールペーパーＰの芯部材６と、カバー部材４とを有している。カバー部材４は、その前側に、軸１８を中心として揺動するアーム部材３と、アーム部材の前側を持ち上げた待機位置に付勢する付勢部材８と、アーム部材の前端に取り付けられ、切断刃１７を有する押さえ部材７と、アーム部材の揺動によって回転するローラー９と、ローラーに巻き取られロールペーパーの後側に面接触しながら、錘１６により垂れ下がる帯状部材５とを有し、押さえ部材７が押されたときのアーム部材の揺動により、帯状部材を巻きほどくようにローラーを回転させ、アーム部材が付勢部材により待機位置に復帰するときに、帯状部材を巻き取るようにローラーを回転させる。【選択図】図１
0003206392.tif 000002
【実用新案登録請求の範囲】
【請求項１】
ロールペーパーの中心の空洞に挿入される芯部材と、ロールペーパーの上側をカバーするカバー部材とを有するロールペーパーホルダーにおいて、
前記カバー部材は、その前側に、前記芯部材に対して平行な軸を中心として揺動するアーム部材と、
前記アーム部材の前側を持ち上げた待機位置に付勢する付勢部材と、
前記アーム部材の前端に取り付けられ、切断刃を有する押さえ部材と、
前記アーム部材の揺動によって回転するローラーと、
前記ローラーに巻き取られロールペーパーが前記芯部材に装填されたときに、当該ロールペーパーの後側に面接触しながら、一端に取り付けられた錘により垂れ下がる帯状部材とを有し、
前記押さえ部材が押されたときの前記アーム部材の揺動により、前記帯状部材を巻きほどくように前記ローラーを回転させ、前記アーム部材が前記付勢部材により待機位置に復帰するときに、前記帯状部材を巻き取るように前記ローラーを回転させることを備えることを特徴とするロールペーパーホルダー。
【請求項２】
ロールペーパーの中心の空洞に挿入される芯部材と、ロールペーパーの上側をカバーするカバー部材とを有するロールペーパーホルダーに対して、そのカバー部材に取り付けられるベース部材であって、
前記ベース部材は、カバー部材の前側となる位置に前記芯部材に対して平行な軸を中心として揺動するアーム部材と、
前記アーム部材の前側を持ち上げた待機位置に付勢する付勢部材と、
前記アーム部材の前端に取り付けられ、切断刃を有する押さえ部材と、
前記アーム部材の揺動によって回転するローラーと、
前記ローラーに巻き取られロールペーパーが前記芯部材に装填されたときに、当該ロールペーパーの後側に面接触しながら、一端に取り付けられた錘により垂れ下がる帯状部材とを有し、
前記押さえ部材が押されたときの前記アーム部材の揺動により、前記帯状部材を巻きほどくように前記ローラーを回転させ、前記アーム部材が前記付勢部材により待機位置に復帰するときに、前記帯状部材を巻き取るように前記ローラーを回転させることを備えることを特徴とするロールペーパーホルダー。
【考案の詳細な説明】
【技術分野】
【０００１】
本考案は、ロールペーパーホルダーに係り、特にトイレットペーパー等のロール状のペーパーを回転させて繰り出すロールペーパーホルダーに関するものである。
【背景技術】
【０００２】
トイレットペーパーなどのように、芯に巻きつけられたペーパー(ロール紙)を適宜引き出し、切り取って使用する場合において、次に使用する人にとっては前回のペーパー切断縁が取り代となる。しかし、切断縁はカバープレートの下に隠れていることが多く、高齢になって手先が不自由になると、ペーパーの引き出しが極めて困難になる。切り取り後、半自動的にロールペーパーを回転させて次に使用するための取り代としてペーパーを繰り出す装置が提案されている。特許文献１〜３は、カバープレートの下にバネをつけて、待機位置にあるカバープレートを押すことでバネをペーパーに押し当て、カバープレートが待機位置に復帰するときに、バネの復元力でトイレットペーパーを回転させる。また、特許文献４では回転駆動手段を使用してトイレットペーパーを回転させて、切断縁をカバープレートの下から垂れ落とす。
【先行技術文献】
【特許文献】
【０００３】
【特許文献１】特開２００８−２７２４２５号公報
【特許文献２】特開２０１５−８３０５５号公報
【特許文献３】特開２０１６−９３２６１号公報
【特許文献４】特開２０１３−１９８７１４号公報
【考案の概要】
【考案が解決しようとする課題】
【０００４】
特許文献１〜３に開示されるようにカバープレートの下にバネを用いる場合には、カバープレートの下から垂れ落せる量は、バネのストロークの量に依存する。また、ペーパーが柔らかければ、バネはペーパーに食い込みストロークの量が確保できないため、カバープレートの下から垂れ落せる量は僅かになる。
特許文献４のように回転駆動手段を用いる場合には、別途電力などのエネルギーの確保が必要である。
【０００５】
この考案は、電力などのエネルギーが必要なく、手動にて十分な量のペーパーを、次に使用するための取り代としてカバープレートから垂れ落とすロールペーパーホルダーを提供することを目的とするものである。
【課題を解決するための手段】
【０００６】
以上のような問題を解決する本考案のロールペーパーホルダーは、ロールペーパーの中心の空洞に挿入される芯部材と、ロールペーパーの上側をカバーするカバー部材とを有するロールペーパーホルダーにおいて、
前記カバー部材は、その前側に、前記芯部材に対して平行な軸を中心として揺動するアーム部材と、
前記アーム部材の前側を持ち上げた待機位置に付勢する付勢部材と、
前記アーム部材の前端に取り付けられ、切断刃を有する押さえ部材と、
前記アーム部材の揺動によって回転するローラーと、
前記ローラーに巻き取られロールペーパーが前記芯部材に装填されたときに、当該ロールペーパーの後側に面接触しながら、一端に取り付けられた錘により垂れ下がる帯状部材とを有し、
前記押さえ部材が押されたときの前記アーム部材の揺動により、前記帯状部材を巻きほどくように前記ローラーを回転させ、前記アーム部材が前記付勢部材により待機位置に復帰するときに、前記帯状部材を巻き取るように前記ローラーを回転させることを備えることを特徴とする。
【考案の効果】
【０００７】
本考案によれば、ロールペーパーから取り代分として引き出す量は、アーム部材の揺動の大きさに対してローラーの径を調整することよって決めることができる。さらに、帯状部材がロールペーパーに対して広い範囲で面接触するため、取り代の引き出しが確実であり、かつ帯状部材がロールペーパーを押しつぶし、痕を残すようなことがない。
【図面の簡単な説明】
【０００８】
【図１】ロールペーパーホルダーの構成を示す全体斜視図および断面図である。
【図２】ロールペーパーホルダーの要部の部品図である。
【図３】ロールペーパーホルダーの動作を示す図である。
【考案を実施するための形態】
【０００９】
本実施例のロールペーパーホルダー１について説明する。以下の説明では、次に使用するための取り代をカバープレートから垂れ落とす機能を、既に設備として使用されているカバー部材４に対して後付けで取り付けた場合の例を説明する。
【００１０】
図１においてロールペーパーホルダー１は、ロールペーパーＰを収容するホルダー本体２と、ロールペーパーＰの上側であってホルダー本体２の後側（図面、左側）に設けられた軸１９に枢支されたカバー部材４と、ロールペーパーＰの中心の空洞に挿入される芯部材６とを有している。カバー部材４は、ロールペーパーＰの上側をカバーするためのものである。
【００１１】
カバー部材４にはベース部材１００が、螺子１０１又は両面テープ（図示せず）により取り付けられている。ベース部材１００は、カバー部材４に対して、後付けで取り付けられるものであり、カバー部材４の前側（図面、右側）に位置する軸１８を中心として揺動可能に支持されるアーム部材３と、軸１２において枢支されるローラー９、１０と、軸１３において枢支されるローラー１１とを有している。軸１２、１３及び１８は、芯部材６に対して平行であり、ベース部材１００に支持されている軸である。軸１２が後側、軸１３が前側に位置している。ローラー９、１０は一体状に結合しており、ローラー９の方がローラー１０よりも径が大きい。ローラー９は、帯状部材５を巻き上げるローラーであり、ローラー１１はローラー９に従動して帯状部材５を案内する。ローラー１０はアーム部材３から延びる線状部材１４を巻き取るローラーである。帯状部材５の先には錘１６が取り付けられている。アーム部材３は、軸１８を挟んで両側に延びており、後端はカバー部材４の内側に延びて線状部材１４が取り付けられており、前端はカバー部材４の外側に延びて押さえ部材７が軸１５を介して揺動可能に支持されている。アーム部材３とカバー部材４との間には、アーム部材３の前側（押さえ部材７の側）を持ち上げた待機位置に付勢する付勢部材（ねじりバネ）８とが設けられている。図１Ｂのアーム部材３の位置が、付勢部材８の弾性力により付勢された待機位置である。押さえ部材７は、側面視Ｚ字状であり、先端に切断刃１７が取り付けられている。
【００１２】
図２Ａは、ロールペーパーＰを取り外し、軸１９を中心にして持ち上げた状態のカバー部材４を示している。錘１６により、帯状部材５は、ローラー１１から垂直に垂れ下がる。ローラー１１の位置は芯部材６の直上よりもやや後側（図面において左側）が良い。芯部材６より前側（押さえ部材７側）に近いと、ロールペーパーＰを芯部材６に装填することが困難になる。図２Ｂにおいて、アーム部材３の押さえ部材７は、軸１８において揺動するが、その下限位置は図に示す実線の位置である。この位置においては、押さえ部材７は、アーム部材３のストッパ３ａに衝突してそれ以上は下に下げられない。
【００１３】
図１において、アーム部材３の揺動運動をローラー９への回転運動に変える手段として、線状部材１４及びローラー１０を用いた例を示したが、揺動運動を回転運動に変える手段はどのような構成であっても良い。例えば、図２Ｃは、ローラー１０と線状部材１４の代わりに、歯車２０と内歯車が施されたロッド２１を用いた例である。また、図２Ｄは、ローラー１０と線状部材１４の代わりに、リンク２２、２３を用いた例である。
【００１４】
図３を用いて、ロールペーパーホルダー１の動作を説明する。
図３Ａは、ロールペーパーＰが引き出されている状態を示している。この状態においては、付勢部材８により、押さえ部材７が持ち上げられており、ロールペーパーＰと押さえ部材７の間には、空間Ｓが確保されている。一方、帯状部材５は、ロールペーパーＰの後側（図中、左側）を摺った状態になっているが、その摩擦力はロールペーパーＰを引き出す力に対しては弱く、ロールペーパーＰは抵抗なく引き出される。
【００１５】
図３Ｂにおいて、所用の長さのペーパーを引き出したときに、押さえ部材７を矢印イの方向を押す。この操作の過程において、アーム部材３は、軸１８を中心に揺動する。アーム部材３の後側は付勢部材８の弾性に抗して持ち上がり、一方、ローラー９は錘１６により図中において時計回りの方向に軸１２まわりに回転するように付勢されているので、線状部材１４が緩む（矢印ハ）にしたがって、帯状部材５を巻きほどいてゆく（矢印二、ホ）。ローラー１１は、帯状部材５を前側に案内する。
【００１６】
図３Ｃにおいて、押さえ部材７の切断刃１７が、ロールペーパーＰに当たった状態になっている。押さえ部材７を矢印イの方向に押したまま、ペーパーを切断する。ロールペーパーＰは、全体として芯部材６に押しつけられ背後が安定しており、切断しやすい状態になっている。
【００１７】
図３Ｄにおいて、押さえ部材７を離す。付勢部材８が解放されて付勢部材８の弾性力によりアーム部材３の後側が下がる。線状部材１４により引っ張られて（矢印チ）、ローラー１０は反時計まわりに回転する（矢印ト）。ローラー１０の回転は一体状のローラー９に伝達され、帯状部材５を巻き取り、これに従い錘１６が上昇する（矢印リ）。ローラー９は、ローラー１０よりも大きいため、線状部材１４の巻き戻し長さに比べて、帯状部材５の巻き取り長さは長い。一方、アーム部材３の前側を持ち上げ、押さえ部材７を元の待機位置に復帰するように付勢部材８が働いているため、ロールペーパーＰは押さえ部材７から離れており、また、帯状部材５がロールペーパーＰに対して広い範囲で面接触し、かつ錘１６によりロールペーパーＰに対して荷重を掛けているため、帯状部材５はロールペーパーＰを時計回りに回転させる（矢印ヌ）。この結果、ロールペーパーＰの切断縁は、取り代分として十分な長さのペーパーが、押さえ部材７から下に垂れ下がる。
【００１８】
ロールペーパーＰの径が小さくなった場合でも、ローラー１１の位置が適当であれば、常に帯状部材５をロールペーパーＰに接触させておくことができる。また、取り代分として引き出す量は、アーム部材３の揺動の大きさに対してローラー９の径を調整することよって決めることができる。さらに、帯状部材５がロールペーパーＰに対して広い範囲で面接触するため、取り代分の引き出しが確実であり、かつ帯状部材５がロールペーパーＰを押しつぶし、痕を残すようなことがない。
【００１９】
本実施例にいては、カバー部材４にはベース部材１００が、後付けで取り付けられている例を示したが、カバー部材４とベース部材１００を一体として、最初から取り代を垂れ落とす機能を有するロールペーパーホルダーとして製品化しても良い。また、帯状部材５が、ロールペーパーＰの背後に接触できるようにローラー９の径を大きくできるだけの余裕がロールペーパーＰとカバー部材４との間にあるのならば、帯状部材５を前方で案内するローラー１１は存在しても良い。
【符号の説明】
【００２０】
１  ロールペーパーホルダー
２  ホルダー本体
３  アーム部材
４  カバー部材
５  帯状部材
６  芯部材
７  押さえ部材
８  付勢部材
９、１０、１１  ローラー
１６  錘
１７  切断刃
２０  歯車
２１  ロッド
２２、２３  リンク
１００  ベース部材
Ｐ  ロールペーパー
【図１】
0003206392.tif 000003
【図２】
0003206392.tif 000004
【図３】
0003206392.tif 000005